(57)【要約】【課題】共振器数が増大した場合においても、機械的強度の低下が防止され、特性ばらつきが生じにくく且つ容易に表面実装が可能な誘電体送受共用器を提供する。【解決手段】送信フィルタの誘電体ブロック２の面２２と受信フィルタの誘電体ブロック４の面４２とは、面２３と面４３とが同一方向を向くようにして、外導体３２，５２を介して接合される。送信フィルタに関して、入出力電極３４は面２３に外導体３２から絶縁されて付された送信回路接続用入出力端子部を有し、入出力電極３５は外導体３２から絶縁されて面２２の周縁まで延びた接続部３５ａを有し、この接続部３５ａは面２３にて外導体３２から絶縁された共通端子部を形成する。送信フィルタに関しても同様である。送信フィルタ及び受信フィルタの共通端子部によりアンテナ接続用共通端子が形成され、この共通端子は面２２，４２の周縁に隣接して位置する。【選択図】図３
2010239413.tif 000002
【特許請求の範囲】
【請求項１】
互いに反対側に位置する第１の面及び第２の面を有する第１の誘電体ブロックと、該第１の誘電体ブロックに前記第１の面から前記第２の面にかけてそれぞれ形成され且つ前記第１の誘電体ブロックの第１及び第２の面に連なる第３の面に沿って配列された複数の第１の貫通孔と、該第１の貫通孔の内面に付された第１の内導体と、前記第１の面を除く前記第１の誘電体ブロックの外面に付された第１の外導体と、前記第１の貫通孔のそれぞれに対応して形成される第１の共振器のうちの互いに異なるものと結合し且つ互いに対をなす第１及び第２の入出力電極と、を含んでなる送信用誘電体フィルタ、
及び、
互いに反対側に位置する第４の面及び第５の面を有する第２の誘電体ブロックと、該第２の誘電体ブロックに前記第４の面から前記第５の面にかけてそれぞれ形成され且つ前記第２の誘電体ブロックの第４及び第５の面に連なる第６の面に沿って配列された複数の第２の貫通孔と、該第２の貫通孔の内面に付された第２の内導体と、前記第４の面を除く前記第２の誘電体ブロックの外面に付された第２の外導体と、前記第２の貫通孔のそれぞれに対応して形成される第２の共振器のうちの互いに異なるものと結合し且つ互いに対をなす第３及び第４の入出力電極と、を含んでなる受信用誘電体フィルタ、
を備えた誘電体送受共用器であって、
前記第１の誘電体ブロックの第２の面と前記第２の誘電体ブロックの第５の面とは、前記第３の面と前記第６の面とが同一方向を向くようにして、前記第１の外導体と前記第２の外導体とを介して接合されており、
前記送信用誘電体フィルタの第１の入出力電極は、前記第１の誘電体ブロックの第３の面に前記第１の外導体から絶縁されて付された第１の入出力端子部を有し、
前記受信用誘電体フィルタの第３の入出力電極は、前記第２の誘電体ブロックの第６の面に前記第２の外導体から絶縁されて付された第２の入出力端子部を有し、
前記送信用誘電体フィルタの第２の入出力電極は、前記第１の誘電体ブロックの外面にて前記第１の外導体から絶縁されて前記第２の面の周縁まで延びた第１の接続部を有し、
前記受信用誘電体フィルタの第４の入出力電極は、前記第２の誘電体ブロックの外面にて前記第２の外導体から絶縁されて前記第５の面の周縁まで延びた第２の接続部を有し、
前記第１の接続部が前記第３の面にて前記第１の外導体から絶縁された第１の共通端子部を形成し、及び／または、前記第２の接続部が前記第６の面にて前記第２の外導体から絶縁された第２の共通端子部を形成しており、
前記第１及び第２の共通端子部により共通端子が形成される、
ことを特徴とする誘電体送受共用器。
【請求項２】
前記共通端子は前記第２及び第５の面の周縁に隣接して位置していることを特徴とする、請求項１に記載の誘電体送受共用器。
【請求項３】
前記第１の接続部は前記第１の外導体から絶縁されて前記第２の面に付された第１の延出部を有しており、前記第２の接続部は前記第２の外導体から絶縁されて前記第５の面に付された第２の延出部を有しており、前記第１及び第２の延出部は互いに電気的に接続されていることを特徴とする、請求項１または２に記載の誘電体送受共用器。
【請求項４】
前記第１の接続部は前記第１の誘電体ブロックの第１乃至第３の面に連なる第１の端面のうちの一方を通って形成されており、前記第２の接続部は前記第２の誘電体ブロックの第４乃至第６の面に連なる第２の端面のうちの一方を通って形成されていることを特徴とする、請求項１乃至３の何れか一項に記載の誘電体送受共用器。
【請求項５】
前記第１の入出力端子部は前記第１の面の周縁に隣接して位置し、前記第２の入出力端子部は前記第４の面の周縁に隣接して位置していることを特徴とする、請求項１乃至４の何れか一項に記載の誘電体送受共用器。
【請求項６】
前記第１及び第２の誘電体ブロックは、前記第３の面と前記第６の面とが同一面内に位置するように、配置されていることを特徴とする、請求項１乃至５の何れか一項に記載の誘電体送受共用器。
【請求項７】
前記第１の誘電体ブロックの第１乃至第３の面に連なり互いに反対側に位置する２つの第１の端面の間の距離Ｗ１と、前記第１の誘電体ブロックの第１及び第２の面の間の距離Ｌ１とが、Ｗ１＞Ｌ１の関係を満たし、前記第２の誘電体ブロックの第４乃至第６の面に連なり互いに反対側に位置する２つの第２の端面の間の距離Ｗ２と、前記第２の誘電体ブロックの第４及び第５の面の間の距離Ｌ２とが、Ｗ２＞Ｌ２の関係を満たすことを特徴とする、請求項１乃至６の何れか一項に記載の誘電体送受共用器。
【請求項８】
前記第１の誘電体ブロックの比誘電率と前記第２の誘電体ブロックの比誘電率とが互いに異なることを特徴とする、請求項１乃至７の何れか一項に記載の誘電体送受共用器。
【発明の詳細な説明】
【技術分野】
【０００１】
本発明は、誘電体フィルタを用いた誘電体送受共用器に関する。
【背景技術】
【０００２】
携帯電話などの移動体通信機器に用いられる機能性電子部品である送受共用器としては、１つの誘電体ブロックに、それぞれ複数の共振器を含む送信側誘電体フィルタ及び受信側誘電体フィルタの双方を作り込んでなる一体型の誘電体送受共用器がしばしば用いられる。
【０００３】
例えば、特許文献１の図４には、誘電体ブロックの一外周側面に沿って、右側には複数の中空孔共振器を含む送信側誘電体フィルタが配置され、左側には複数の中空孔共振器を含む受信側誘電体フィルタが配置されている。このように、１つの誘電体ブロックにおいて中空孔共振器を一列に配列して送信側及び受信側の双方の誘電体フィルタを構成することで、誘電体ブロックの前記一外周側面において外部回路との接続のための電極端子を形成することができ、前記一外周側面を配線基板に向けて一時に表面実装することができる。
【０００４】
しかるに、近年、移動体通信機器特に基地局用途のものにおいて高性能化が要請されており、これに伴い該移動体通信機器に用いられる誘電体送受共用器にも高性能化が要請されている。そのため、より多くの共振器を１つの誘電体ブロックに作り込んで高性能化が図られているが、その場合、誘電体ブロックが左右方向に長くなりすぎて、機械的強度が低下しやすくなるという問題があった。
【０００５】
このような問題を回避するためには、送信側誘電体フィルタと受信側誘電体フィルタとを別々の誘電体ブロックに作り込み、配線基板に対して別々に実装すればよく、このような別体型の誘電体送受共用器は古くから知られている。
【０００６】
例えば、特許文献２には、送信用誘電体フィルタと受信用誘電体フィルタとを別々に基板上に実装しこれらを別途の分波基板を用いて結合する方法が提案されている。しかし、この場合には、上記一体型誘電体送受共用器の利点は得られない。即ち、送信用誘電体フィルタ、受信用誘電体フィルタ及び分波基板がそれぞれ分離されており、部品点数が多く実装コストがかさむ。また、それぞれの部品同士の相対的な実装位置が変化しやすく、このためインピーダンス整合がずれたりする特性ばらつきが生じやすいという問題があった。
【先行技術文献】
【特許文献】
【０００７】
【特許文献１】特開２００４−３１２４９０号公報
【特許文献２】特開平５−２７５９０５号公報
【発明の概要】
【発明が解決しようとする課題】
【０００８】
本発明は、上記事情に鑑みてなされたものであり、高性能化の要請に応えるべく各誘電体フィルタの共振器数が増大した場合においても、機械的強度の低下が防止され、特性ばらつきが生じにくく且つ容易に表面実装が可能な誘電体送受共用器を提供することを目的とする。
【課題を解決するための手段】
【０００９】
以上の如き目的を達成するものとして、本発明により、
互いに反対側に位置する第１の面及び第２の面を有する第１の誘電体ブロックと、該第１の誘電体ブロックに前記第１の面から前記第２の面にかけてそれぞれ形成され且つ前記第１の誘電体ブロックの第１及び第２の面に連なる第３の面に沿って配列された複数の第１の貫通孔と、該第１の貫通孔の内面に付された第１の内導体と、前記第１の面を除く前記第１の誘電体ブロックの外面に付された第１の外導体と、前記第１の貫通孔のそれぞれに対応して形成される第１の共振器のうちの互いに異なるものと結合し且つ互いに対をなす第１及び第２の入出力電極と、を含んでなる送信用誘電体フィルタ、
及び、
互いに反対側に位置する第４の面及び第５の面を有する第２の誘電体ブロックと、該第２の誘電体ブロックに前記第４の面から前記第５の面にかけてそれぞれ形成され且つ前記第２の誘電体ブロックの第４及び第５の面に連なる第６の面に沿って配列された複数の第２の貫通孔と、該第２の貫通孔の内面に付された第２の内導体と、前記第４の面を除く前記第２の誘電体ブロックの外面に付された第２の外導体と、前記第２の貫通孔のそれぞれに対応して形成される第２の共振器のうちの互いに異なるものと結合し且つ互いに対をなす第３及び第４の入出力電極と、を含んでなる受信用誘電体フィルタ、
を備えた誘電体送受共用器であって、
前記第１の誘電体ブロックの第２の面と前記第２の誘電体ブロックの第５の面とは、前記第３の面と前記第６の面とが同一方向を向くようにして、前記第１の外導体と前記第２の外導体とを介して接合されており、
前記送信用誘電体フィルタの第１の入出力電極は、前記第１の誘電体ブロックの第３の面に前記第１の外導体から絶縁されて付された第１の入出力端子部を有し、
前記受信用誘電体フィルタの第３の入出力電極は、前記第２の誘電体ブロックの第６の面に前記第２の外導体から絶縁されて付された第２の入出力端子部を有し、
前記送信用誘電体フィルタの第２の入出力電極は、前記第１の誘電体ブロックの外面にて前記第１の外導体から絶縁されて前記第２の面の周縁まで延びた第１の接続部を有し、
前記受信用誘電体フィルタの第４の入出力電極は、前記第２の誘電体ブロックの外面にて前記第２の外導体から絶縁されて前記第５の面の周縁まで延びた第２の接続部を有し、
前記第１の接続部が前記第３の面にて前記第１の外導体から絶縁された第１の共通端子部を形成し、及び／または、前記第２の接続部が前記第６の面にて前記第２の外導体から絶縁された第２の共通端子部を形成しており、
前記第１及び第２の共通端子部により共通端子が形成される、
ことを特徴とする誘電体送受共用器、
が提供される。
【００１０】
尚、第１の接続部が第３の面にて第１の外導体から絶縁された第１の共通端子部を形成するか、または、第２の接続部が第６の面にて第２の外導体から絶縁された第２の共通端子部を形成する場合においては、共通端子は、現実には、第１の共通端子部のみにより形成されるかまたは第２の共通端子部のみにより形成される。しかし、本明細書においては、このような場合も、便宜上、共通端子は第１の共通端子部及び第２の共通端子部により形成されるものとして記載している。
【００１１】
本発明の一態様においては、前記共通端子は前記第２及び第５の面の周縁に隣接して位置している。
【００１２】
本発明の一態様においては、前記第１の接続部は前記第１の外導体から絶縁されて前記第２の面に付された第１の延出部を有しており、前記第２の接続部は前記第２の外導体から絶縁されて前記第５の面に付された第２の延出部を有しており、前記第１及び第２の延出部は互いに電気的に接続されている。
【００１３】
本発明の一態様においては、前記第１の接続部は前記第１の誘電体ブロックの第１乃至第３の面に連なる第１の端面のうちの一方を通って形成されており、前記第２の接続部は前記第２の誘電体ブロックの第４乃至第６の面に連なる第２の端面のうちの一方を通って形成されている。
【００１４】
本発明の一態様においては、前記第１の入出力端子部は前記第１の面の周縁に隣接して位置し、前記第２の入出力端子部は前記第４の面の周縁に隣接して位置している。
【００１５】
本発明の一態様においては、前記第１及び第２の誘電体ブロックは、前記第３の面と前記第６の面とが同一面内に位置するように、配置されている。
【００１６】
本発明の一態様においては、前記第１の誘電体ブロックの第１乃至第３の面に連なり互いに反対側に位置する２つの第１の端面の間の距離Ｗ１と、前記第１の誘電体ブロックの第１及び第２の面の間の距離Ｌ１とが、Ｗ１＞Ｌ１の関係を満たし、前記第２の誘電体ブロックの第４乃至第６の面に連なり互いに反対側に位置する２つの第２の端面の間の距離Ｗ２と、前記第２の誘電体ブロックの第４及び第５の面の間の距離Ｌ２とが、Ｗ２＞Ｌ２の関係を満たす。
【００１７】
本発明の一態様においては、前記第１の誘電体ブロックの比誘電率と前記第２の誘電体ブロックの比誘電率とが互いに異なる。
【発明の効果】
【００１８】
本発明によれば、第１の誘電体ブロックの第２の面と第２の誘電体ブロックの第５の面とを接合することで送信用誘電体フィルタと受信用誘電体フィルタとを一体化しているので、各誘電体フィルタの共振器数が増大した場合においても、過大に細長い構造になることがなく機械的強度の低下が防止されると共に、特性ばらつきが生じにくくなる。更に、本発明によれば、同一方向を向くように配置された第１の誘電体ブロックの第３の面と第２の誘電体ブロックの第６の面とに第１及び第２の入出力端子部並びに共通端子を形成しているので、容易に表面実装が可能である。
【図面の簡単な説明】
【００１９】
【図１】本発明による誘電体送受共用器の一実施形態を示す模式的上側斜視図である。
【図２】図１の実施形態の誘電体送受共用器の模式的下側斜視図である。
【図３】図１の実施形態の誘電体送受共用器の模式的分解斜視図である。
【図４】参考例として示す誘電体送受共用器の模式的斜視図である。
【発明を実施するための形態】
【００２０】
図１及び図２は本発明による誘電体送受共用器の一実施形態を示す模式的斜視図であり、図３はその模式的分解斜視図である。
【００２１】
本実施形態の誘電体送受共用器は、２個の誘電体ブロック２，４を用いて形成される。誘電体ブロック２，４の材質としては、たとえばＡｌ２Ｏ３を主成分とするアルミナ系セラミックであって比誘電率εｒが１３程度のものを使用することができる。
【００２２】
第１の誘電体ブロック２は、長さＬ１、幅Ｗ１及び高さＨ１の略直方体形状の基本形状を持ち送信用誘電体フィルタを構成する。長さＬ１はたとえば約７．８ｍｍであり、幅Ｗ１はたとえば約４０ｍｍであり、高さＨ１はたとえば約１４ｍｍである。第１の誘電体ブロック２は、互いに反対側に位置する長方形状の第１の面２１および第２の面２２、並びに第１の面２１の周縁（即ち外周縁）と第２の面２２の周縁（即ち外周縁）との間に位置する４つの外側面により画定される。これらの外側面は平面からなる。これらの外側面には、第３の面２３及び第１の端面２４が含まれる。
【００２３】
誘電体ブロック２には、上記外側面に沿って第１の面２１から第２の面２２まで貫通して、互いに平行な４つの断面円形の第１の貫通孔３０が形成されている。これらの貫通孔３０は誘電体ブロック２の幅方向に配列されている。即ち、誘電体ブロック２には、第１の面２１から第２の面２２にかけてそれぞれ形成され且つ第１及び第２の面２１，２２に連なる第３の面２３に沿って配列された複数の第１の貫通孔３０が形成されている。これらの貫通孔３０の内面には、第１の内導体３１が付されている（即ち形成されている）。
【００２４】
第１の面２１以外の外面には第１の外導体３２が付されており（即ち形成されており）、第２の面２２に形成されている外導体３２は内導体３１と接続されている。貫通孔３０のそれぞれに対応して、１／４波長型の共振器が形成される。これらの共振器同士を結合させるようにして、第１の面２１には第１の結合用電極３３が形成されている。これらの結合用電極３３は内導体３１と接続されている。かくして、各貫通孔３０に対応して形成される誘電体共振器が容量性結合により４段に結合された送信用誘電体フィルタが形成される。送信用誘電体フィルタは、貫通孔３０のそれぞれに対応して形成される共振器のうちのいずれかと結合し且つ互いに対をなす第１及び第２の入出力電極３４，３５を含む。ここで、対をなすとは、第１及び第２の入出力電極３４，３５のうちの一方が送信用誘電体フィルタの入力電極となり且つ他方が送信用誘電体フィルタの出力電極となるという意味である。
【００２５】
同様に、第２の誘電体ブロック４は、長さＬ２、幅Ｗ２及び高さＨ２の略直方体形状の基本形状を持ち受信用誘電体フィルタを構成する。長さＬ２は、フィルタ通過周波数帯域の相違に基づき送信用誘電体フィルタに関する上記Ｌ１とは相違し、たとえば約８ｍｍである。幅Ｗ２はたとえば約４０ｍｍであり、高さＨ２はたとえば約１４ｍｍである。本実施形態においては、Ｗ１＝Ｗ２＝Ｗ、Ｈ１＝Ｈ２＝Ｈである。第２の誘電体ブロック４は、互いに反対側に位置する長方形状の第４の面４１および第５の面４２、並びに第４の面４１の周縁（即ち外周縁）と第５の面４２の周縁（即ち外周縁）との間に位置する４つの外側面により画定される。これらの外側面は平面からなる。これらの外側面には、第６の面４３及び第２の端面４４が含まれる。
【００２６】
誘電体ブロック４には、上記外側面に沿って第４の面４１から第５の面４２まで貫通して、互いに平行な４つの断面円形の第２の貫通孔５０が形成されている。これらの貫通孔５０は誘電体ブロック４の幅方向に配列されている。即ち、誘電体ブロック４には、第４の面４１から第５の面４２にかけてそれぞれ形成され且つ第４及び第５の面４１，４２に連なる第６の面４３に沿って配列された複数の第２の貫通孔５０が形成されている。これらの貫通孔５０の内面には、第２の内導体５１が付されている（即ち形成されている）。
【００２７】
第４の面４１以外の外面には第２の外導体５２が付されており（即ち形成されており）、第５の面４２に形成されている外導体５２は内導体５１と接続されている。貫通孔５０のそれぞれに対応して、１／４波長型の共振器が形成される。これらの共振器同士を結合させるようにして、第４の面４１には第２の結合用電極５３が形成されている。これらの結合用電極５３は内導体５１と接続されている。かくして、各貫通孔５０に対応して形成される誘電体共振器が容量性結合により４段に結合された受信用誘電体フィルタが形成される。受信用誘電体フィルタは、貫通孔５０のそれぞれに対応して形成される共振器のうちのいずれかと結合し且つ互いに対をなす第３及び第４の入出力電極５４，５５を含む。ここで、対をなすとは、第３及び第４の入出力電極５４，５５のうちの一方が受信用誘電体フィルタの入力電極となり且つ他方が受信用誘電体フィルタの出力電極となるという意味である。
【００２８】
第１の誘電体ブロック２の第２の面２２と第２の誘電体ブロック４の第５の面４２とは、第３の面２３と第６の面４３とが同一方向を向く（図において下方に向く）ようにして、第１の外導体３２と第２の外導体５２とを介して接合されている。本実施形態では、第１及び第２の誘電体ブロック２，４は、第３の面２３と第６の面４３とが同一平面内に位置するように、配置されている。
【００２９】
送信用誘電体フィルタの第１の入出力電極３４は、第１の誘電体ブロック２の第３の面２３に第１の外導体３２から絶縁されて付された第１の入出力端子部３４ａを有する。同様に、受信用誘電体フィルタの第３の入出力電極５４は、第２の誘電体ブロック４の第６の面４３に第２の外導体５２から絶縁されて付された第２の入出力端子部５４ａを有する。本実施形態では、第１の入出力端子部３４ａは第１の面２１の周縁に隣接して位置し、第２の入出力端子部５４ａは第４の面４１の周縁に隣接して位置する。
【００３０】
一方、送信用誘電体フィルタの第２の入出力電極３５は、第１の誘電体ブロック２の外面にて第１の外導体３２から絶縁されて第２の面２２の周縁まで延びた第１の接続部３５ａを有する。同様に、受信用誘電体フィルタの第４の入出力電極５５は、第２の誘電体ブロック４の外面にて第２の外導体５２から絶縁されて第５の面４２の周縁まで延びた第２の接続部５５ａを有する。
【００３１】
第１の接続部３５ａは第１の誘電体ブロック２の第１乃至第３の面２１〜２３に連なる第１の端面２４，２４’のうちの一方である端面２４を通って形成されており、第２の接続部５５ａは第２の誘電体ブロック４の第４乃至第６の面４１〜４３に連なる第２の端面４４，４４’のうちの一方である端面４４を通って形成されている。このようにすることで、第１及び第２の接続部３５ａ，５５ａを第３及び第６の面２３，４３を通って形成する場合に比べて、該第３及び第６の面２３，４３の第１及び第２の外導体３２，５２の面積を減らすことがないので、後述の実装の際の接合強度を高く維持することができる。但し、接合強度の若干の低下を甘受するとすれば、第１及び第２の接続部３５ａ，５５ａの少なくとも一部が第３及び第６の面２３，４３を通るようにして形成してもよい。
【００３２】
第１の接続部３５ａは、第１の外導体３２から絶縁されて第２の面２２に付された第１の延出部３５ｂを有している。第２の接続部５５ａは、第２の外導体５３から絶縁されて第５の面４２に付された第２の延出部５５ｂを有している。第１及び第２の延出部３５ｂ，５５ｂは、対向して位置しており、互いに電気的に接続されている。
【００３３】
更に、第１の接続部３５ａは第３の面２３にまで延びて第１の外導体３２から絶縁された第１の共通端子部３５ｃを形成しており、第２の接続部５５ａは第６の面４３にまで延びて第２の外導体５２から絶縁された第２の共通端子部５５ｃを形成している。第１及び第２の共通端子部３５ｃ，５５ｃは、それぞれ第１及び第２の誘電体ブロック２，４の一頂点の近傍にて互いに近接して位置しており、これらにより共通端子ＣＣが形成される。共通端子ＣＣは、第２及び第５の面２２，４２の周縁に隣接して位置している。
【００３４】
尚、第１の接続部３５ａと第２の接続部５５ａとは、第１の延出部３５ｂ及び第２の延出部５５ｂを介して互いに電気的に接続されているので、第１及び第２の共通端子部３５ｃ，５５ｃのうちの一方を省略してもよい。本発明においては、このような場合も、便宜上、共通端子が第１及び第２の共通端子部により形成されていることに該当するものとする。すなわち、本発明において、第１及び第２の共通端子部により形成されるものとして規定される共通端子は、第１及び第２の共通端子部の双方が現実に存在する場合にはこれら双方により形成され、第１及び第２の共通端子部のうちの一方のみが現実に存在する場合には現実には当該一方により形成される。換言すれば、本発明における共通端子は、第１及び第２の共通端子部のうちの少なくとも一方により形成される。または、本発明における共通端子は、第１の共通端子部及び／または第２の共通端子部により形成される。また、第１及び第２の共通端子部３５ｃ，５５ｃは互いに近接して位置するので、後述の実装基板上に第１及び第２の共通端子部３５ｃ，５５ｃからなる共通端子ＣＣに対応する接続端子部を形成することにすれば、第１の延出部３５ｂ及び第２の延出部５５ｂを省略してもよい。
【００３５】
以上のような第１及び第２の誘電体ブロック２，４の接合は、たとえば半田によっておこなわれ、半田ペーストを印刷によって第１及び第２の外導体３２，５２並びに第１及び第２の延出部３５ｂ，５５ｂに塗布しリフローすることで溶融接着することができる。但し、本発明においては、接合は半田によるものに限らず導電性接着剤によるものでも良い。
【００３６】
以上のようにして、送信側誘電体フィルタ４段及び受信側誘電体フィルタ４段の誘電体送受共用器が構成される。この誘電体送受共用器は、第１及び第２の誘電体ブロック２，４のそれぞれ第３及び第６の面２３，４３が不図示の実装基板の所要配線形成面に対面するようにして、該実装基板に表面実装される。送信側誘電体フィルタの第１の入出力端子部３４ａは実装基板の所要配線を介して送信回路に接続され、受信側誘電体フィルタの第３の入出力端子部５４ａは実装基板の所要配線を介して受信回路に接続される。送信側誘電体フィルタ及び受信側誘電体フィルタに共通の共通端子ＣＣは、実装基板の所要配線を介してアンテナ回路に接続される。
【００３７】
以上の実施形態の誘電体送受共用器においては、長さがＬ（＝Ｌ１＋Ｌ２）で、幅がＷ＝Ｗ１＝Ｗ２で、高さがＨ＝Ｈ１＝Ｈ２である。従って、本実施形態では、長さＬに対する幅Ｗの比Ｗ／Ｌは約２．５３である。これに対して、図４に示す参考例のように、１つの細長い誘電体ブロック１にて、８つの共振器の一列配列により、上記と同様な構成の送信側誘電体フィルタ１２及び受信側誘電体フィルタ１４を形成した場合には、長さＬに対する幅Ｗの比Ｗ／Ｌは約１０となる。従って、本実施形態の比Ｗ／Ｌは参考例のものの約１／４となり、実装面の形状が参考例に比べ正方形に近くなる。このため、機械的強度とくに曲げ強度が著しく高められ、加えて実装基板上での実装における部品配置の自由度が高められる。この意味においては、Ｗ／Ｌ＝１であるのが好ましい。
【００３８】
このような本発明の特長を実現するには、上記実施形態のように、第１の誘電体ブロック２の第１乃至第３の面２１，２２，２３に連なり互いに反対側に位置する２つの第１の端面２４，２４’の間の距離Ｗ１と、第１の誘電体ブロック２の第１及び第２の面２１，２２の間の距離Ｌ１とが、Ｗ１＞Ｌ１の関係を満たし、第２の誘電体ブロック４の第４乃至第６の面４１，４２，４３に連なり互いに反対側に位置する２つの第２の端面４４，４４’の間の距離Ｗ２と、第２の誘電体ブロック４の第４及び第５の面４１，４２の間の距離Ｌ２とが、Ｗ２＞Ｌ２の関係を満たすことが好ましい。
【００３９】
以上の実施形態においては第１の誘電体ブロック２の比誘電率と第２の誘電体ブロック４の比誘電率とが同一であるものとしたが、これらは互いに異なっていてもよい。例えば、第１の誘電体ブロック２の材料として材料特性が良く比誘電率εｒが約１０の材料を用い、第２の誘電体ブロック４の材料として比誘電率εｒが約１３の材料を用いることができる。このようにすることで、送信側誘電体フィルタに大電力を入力しても損失が少なく発熱が少ない誘電体送受共用器が構成できる。このような実施形態の場合、第１の誘電体ブロック２の長さＬ１はたとえば９ｍｍであり、第２の誘電体ブロック４の長さＬ２はたとえば約８ｍｍである。第１及び第２の誘電体ブロック２，４において、幅Ｗ１，Ｗ２は約４０ｍｍであり、高さＨ１，Ｈ２は約１４ｍｍである。
【００４０】
この実施形態においては、長さＬに対する幅Ｗの比Ｗ／Ｌは約２．３５であり、上記図１〜３の実施形態より更に１に近くなる。このため、機械的強度とくに曲げ強度が更に一層高められ、加えて実装基板上での実装における部品配置の自由度が一層高められる。
第２の誘電体ブロック２の材料も比誘電率εｒが約１０のものを用いればよりＷ／Ｌ＝１に近づく。
【００４１】
以上のようにして、第１及び第２の誘電体ブロック４の誘電体材料を変え具体的には比誘電率εｒが互いに異なるものを用いることで、実装面の形状及び寸法の自由度が増す。
【００４２】
上記の幅Ｗ１，Ｗ２は同一でもよいし互いに異なっていてもよい。上記の長さＬ１，Ｌ２同一でもよいし互いに異なっていてもよい。また、上記の高さＨ１，Ｈ２同一でもよいし互いに異なっていてもよい。但し、この場合も、平面状の実装基板に実装する限りにおいて、第１及び第２の誘電体ブロック２，４の第３及び第６の面２３，４３が同一面内に位置するように、配置するのが好ましい。
【００４３】
本発明においては、誘電体共振器の貫通孔の断面形状、及び該貫通孔の数すなわち各誘電体フィルタにおける共振器の数は、とくに上記実施形態のものに限定されない。
【００４４】
また、第１及び第２の接続部３５ａ，５５ａの形状は、上記実施形態のものに限定されるものではない。
【産業上の利用可能性】
【００４５】
本発明は、高密度実装が求められ移動体通信機器内部に実装される誘電体送受共用器に好適に適用することができる。
【符号の説明】
【００４６】
２  第１の誘電体ブロック
２１  第１の面
２２  第２の面
２３  第３の面
２４，２４’  第１の端面
３０  第１の貫通孔
３１  第１の内導体
３２  第１の外導体
３３  第１の結合用電極
３４  第１の入出力電極
３４ａ  第１の入出力端子部
３５  第２の入出力電極
３５ａ  第１の接続部
３５ｂ  第１の延出部
３５ｃ  第１の共通端子部
４  第２の誘電体ブロック
４１  第４の面
４２  第５の面
４３  第６の面
４４，４４’  第２の端面
５０  第２の貫通孔
５１  第２の内導体
５２  第２の外導体
５３  第２の結合用電極
５４  第３の入出力電極
５４ａ  第２の入出力端子部
５５  第４の入出力電極
５５ａ  第２の接続部
５５ｂ  第２の延出部
５５ｃ  第２の共通端子部
ＣＣ  共通端子
【図１】
2010239413.tif 000003
【図２】
2010239413.tif 000004
【図３】
2010239413.tif 000005
【図４】
2010239413.tif 000006